(57)【要約】      （修正有）【課題】大きさを小さくすることができ、持ち運びに便利な吹き矢用吹き筒立を提供する。【解決手段】吹き矢用吹き筒立１は、吹き筒２を立てるための筒立て支柱１０と、筒立て支柱を支持する三脚部２０とを備えている。三脚部は、一方向に伸長された板状の第１脚２２Ａ、第２脚２２Ｂ、及び、第３脚２２Ｃをそれぞれ有し、第１脚、第２脚、第３脚は、第１脚を下側として、この順に重ねて、一端側で回動可能に互いに連結されているか、又は、一端側で連結可能とされている。三脚部に対して着脱可能に配設され、高さ方向に伸縮可能であり、先端部に引掛け部材３３が設けられた吹き筒を拭く布などを引掛けるための引掛け支柱３０を備えているのが好ましい。【選択図】図１
0003195669.tif 000002
【実用新案登録請求の範囲】
【請求項１】
吹き筒を立てるための筒立て支柱と、この筒立て支柱を支持する三脚部とを備え、
前記三脚部は、一方向に伸長された板状の第１脚、第２脚、及び、第３脚をそれぞれ有し、
これら第１脚、第２脚、及び、第３脚は、第１脚を下側として、下からこの順に重ねて、これらの一端側において回動可能に連結するか、又は、これらの一端側において連結可能とされ、
前記筒立て支柱は、前記三脚部に対して着脱可能とされた
ことを特徴とする吹き矢用吹き筒立。
【請求項２】
前記第１脚の長さは、前記第２脚及び前記第３脚の長さよりも短く、
前記第２脚の長さは、前記第３脚の長さよりも短く、
前記第２脚及び前記第３脚の他端側の下側面には、第１脚の下側面との高さを調節するために下側に向かって突出された高さ調節凸部が設けられた
ことを特徴とする請求項１記載の吹き矢用吹き筒立。
【請求項３】
前記第１脚、前記第２脚、及び、前記第３脚には、それらを回動させて広げる際に、それらの位置決めをするための位置決めマークがそれぞれ設けられていることを特徴とする請求項１又は請求項２記載の吹き矢用吹き筒立。
【請求項４】
前記三脚部に対して着脱可能に配設され、高さ方向に伸縮可能であり、先端部に引掛け部材が設けられた引掛け支柱を備えたことを特徴とする請求項１から請求項３のいずれか１に記載の吹き矢用吹き筒立。
【考案の詳細な説明】
【技術分野】
【０００１】
本考案は、吹き矢用の吹き筒を立てるための吹き矢用吹き筒立に関する。
【背景技術】
【０００２】
近年、スポーツ又はレクリエーションとして吹き矢が手軽に楽しまれている。吹き矢は、吹き筒の中に矢を入れ、吹き筒の一方から息を吹き込み、その空気圧により矢を飛ばすものである。スポーツ吹き矢では、競技をやりやすくするために、吹き筒を立てておくための吹き矢用吹き筒立が一般に用いられている。この吹き矢用吹き筒立としては、例えば、基台に吹き筒を刺して立てるための筒立て支柱を配設したものが知られている（例えば、特許文献１参照）。しかしながら、従来の吹き矢用吹き筒立では、基台の大きさが大きいので、持ち運ぶ際にかさばり、不便であるという問題があった。
【先行技術文献】
【特許文献】
【０００３】
【特許文献１】実用新案登録第３１４７２９８号公報
【考案の概要】
【考案が解決しようとする課題】
【０００４】
本考案は、このような問題に基づきなされたものであり、大きさを小さくすることができ、持ち運びに便利な吹き矢用吹き筒立を提供することを目的とする。
【課題を解決するための手段】
【０００５】
本考案の吹き矢用吹き筒立は、吹き筒を立てるための筒立て支柱と、この筒立て支柱を支持する三脚部とを備え、三脚部は、一方向に伸長された板状の第１脚、第２脚、及び、第３脚をそれぞれ有し、これら第１脚、第２脚、及び、第３脚は、第１脚を下側として、下からこの順に重ねて、これらの一端側において回動可能に連結するか、又は、これらの一端側において連結可能とされ、筒立て支柱は、三脚部に対して着脱可能とされたものである。
【考案の効果】
【０００６】
本考案によれば、筒立て支柱を着脱可能とし、かつ、第１脚、第２脚、及び、第３脚を重ねて回動可能に連結するか、又は、重ねて連結可能とするようにしたので、例えば、使用時には、第１脚、第２脚、及び、第３脚を回動させて広げるか、又は、広げて連結し、筒立て支柱を取り付けることにより、吹き筒を立てることができる。また、持ち運び時には、筒立て支柱を取り外し、第１脚、第２脚、及び、第３脚を回動させて重ね合わせるか、又は、分離して重ね合わせることにより、大きさを小さくすることができる。よって、持ち運びの利便性を高めることができる。
【０００７】
また、第１脚の長さを第２脚及び第３脚の長さよりも短くし、第２脚の長さを第３脚の長さよりも短くして、第２脚及び第３脚の他端側の下側面に下側に向かって突出した高さ調節凸部を設けるようにすれば、第１脚、第２脚、及び、第３脚を広げて筒立て支柱を立てた時に、筒立て支柱を垂直に安定して支持することができる。また、第１脚、第２脚、及び、第３脚を重ね合わせることにより、大きさを小さくすることもできる。
【０００８】
更に、第１脚、第２脚、及び、第３脚に、位置決めマークを設けるようにすれば、それらを広げる際、又は、それらを連結する際に、容易に位置決めすることができ、吹き筒を安定して支持することができる。
【０００９】
加えて、三脚部に対して着脱可能で、高さ方向に伸縮可能な引掛け支柱を備えるようにすれば、吹き筒を拭く布などを引掛けて用いることができると共に、持ち運ぶ際には、三脚部から取り外し、縮めることにより、大きさを小さくすることができる。
【図面の簡単な説明】
【００１０】
【図１】本考案の一実施の形態に係る吹き矢用吹き筒立の構成を表す図である。
【図２】図１に示した吹き矢用吹き筒立を分解した状態を表す図です。
【考案を実施するための形態】
【００１１】
以下、本考案の実施の形態について、図面を参照して詳細に説明する。
【００１２】
図１は、本考案の一実施の形態に係るご吹き矢用吹き筒立１の構成を表すものである。図２は、図１に示した吹き矢用吹き筒立１を分解した状態を表すものである。この吹き矢用吹き筒立１は、吹き矢の吹き筒２を立てるためのものであり、吹き筒２を立てるための筒立て支柱１０と、この筒立て支柱１０を支持する三脚部２０とを備えている。筒立て支柱１０は、例えば、棒状であり、金属又はプラスチックにより構成されている。筒立て支柱１０は、三脚部２０に対して着脱可能とされている。筒立て支柱１０の下端部には、例えば、雌ねじ１１が形成されており、三脚部２０に配設された筒立て支柱用雄ねじ２１に対して螺合することにより配設可能とされている。
【００１３】
三脚部２０は、一方向に伸長された板状の第１脚２２Ａ、第２脚２２Ｂ、及び、第３脚２２Ｃをそれぞれ有している。第１脚２２Ａ、第２脚２２Ｂ、及び、第３脚２２Ｃは、例えば、金属によりそれぞれ構成されている。これら第１脚２２Ａ、第２脚２２Ｂ、及び、第３脚２２Ｃは、第１脚２２Ａを下側として、下からこの順に重ねて、これらの一端側において回動可能に互いに連結されているか、又は、これらの一端側において連結可能とされている。回動可能に連結されている場合には、第１脚２２Ａ、第２脚２２Ｂ、及び、第３脚２２Ｃは、例えば、積層方向に対して垂直方向に回動可能となっている。
【００１４】
第１脚２２Ａ、第２脚２２Ｂ、及び、第３脚２２Ｃの各一端側には、例えば、筒立て支柱用雄ねじ２１の軸を挿入する筒立て支柱用貫通孔２３がそれぞれ設けられている。第１脚２２Ａ、第２脚２２Ｂ、及び、第３脚２２Ｃは、例えば、各筒立て支柱用貫通孔２３の位置を合わせて重ね、各筒立て支柱用貫通孔２３に下側から筒立て支柱用雄ねじ２１の軸を挿入することにより、回動可能に連結されるか、又は、連結可能とされている。筒立て支柱用雄ねじ２１の軸には、ねじ先から筒立て支柱１０の雌ねじ１１を螺合することにより、筒立て支柱１０を配設可能となっている。第３脚２２Ｃの上側面には、例えば、筒立て支柱用貫通孔２３の周りに、ゴムなどの弾性材料よりなる筒立て支柱クッション部材２４が配設されていることが好ましい。
【００１５】
第１脚２２Ａの長さは、例えば、第２脚２２Ｂ及び第３脚２２Ｃの長さよりも短く、第２脚２２Ｂの長さは、例えば、第３脚２２Ｃの長さよりも短く構成されていることが好ましい。また、第２脚２２Ｂ及び第３脚２２Ｃの他端側の下側面には、第１脚２２Ａの下側面との高さを調節するために、下側に向かって突出された高さ調節凸部２５がそれぞれ設けられていることが好ましい。第１脚２２Ａ、第２脚２２Ｂ、及び、第３脚２２Ｃを広げて筒立て支柱１０を立てた時に、筒立て支柱１０を垂直に安定して支持することができるようにするためである。
【００１６】
また、第１脚２２Ａ、第２脚２２Ｂ、及び、第３脚２２Ｃには、それらを回動させて広げる際、又は、それらを重ねて連結する際に、それらの位置決めをするための位置決めマーク２６がそれぞれ設けられていることが好ましい。各位置決めマーク２６は、例えば、けがき線により構成され、第１脚２２Ａ、第２脚２２Ｂ、及び、第３脚２２Ｃの側面、又は、上側面から側面にかけてそれぞれ設けられている。各位置決めマーク２６は、例えば、それらの位置が合うように第１脚２２Ａ、第２脚２２Ｂ、及び、第３脚２２Ｃを回動させた時、又は、重ねて連結した時に、第１脚２２Ａ、第２脚２２Ｂ、及び、第３脚２２Ｃが均等に広がって位置するように記されている。
【００１７】
更に、この吹き矢用吹き筒立１は、例えば、三脚部２０に対して着脱可能に配設される引掛け支柱３０を備えていることが好ましい。この引掛け支柱３０は、例えば、吹き筒２を拭く布などを引掛けるものである。引掛け支柱３０は、例えば、高さ方向に伸縮可能とされた棒状部材３１の先端部に、継パイプ３２を介して引掛け部材３３が設けられた構成を有している。棒状部材３１は、例えば、金属又はプラスチックにより構成されている。引掛け部材３３は、例えば、鉤状に形成されている。
【００１８】
棒状部材３１の下端部には、例えば、雌ねじ３４が形成されており、三脚部２０に配設された引掛け支柱用雄ねじ２７に対して螺合することにより配設可能とされている。引掛け支柱用雄ねじ２７は、例えば、第３脚２２Ｃの他端側に設けられた引掛け支柱用貫通孔２８に下側から軸を挿入して配設される。なお、引掛け支柱用雄ねじ２７は、第３脚２２Ｃに固定されていてもよいが、着脱可能とされていてもよい。第３脚２２Ｃの上側面には、例えば、引掛け支柱用貫通孔２８の周りに、ゴムなどの弾性材料よりなる引掛け支柱パッキン２９が配設されていることが好ましい。
【００１９】
この吹き矢用吹き筒立１は、例えば、次のようにして用いることができる。使用時には、まず、例えば、三脚部２０の第１脚２２Ａ、第２脚２２Ｂ、及び、第３脚２２Ｃを連結箇所において回動させて広げる。又は、例えば、第１脚２２Ａ、第２脚２２Ｂ、及び、第３脚２２Ｃを広げた状態で、各筒立て支柱用貫通孔２３の位置を合わせて重ね、各筒立て支柱用貫通孔２３に下側から筒立て支柱用雄ねじ２１の軸を挿入して連結する。次いで、例えば、筒立て支柱用雄ねじ２１のねじ先から筒立て支柱１０の雌ねじ１１を螺合することにより、筒立て支柱１０を配設する。続いて、必要に応じて、例えば、引掛け支柱用雄ねじ２７のねじ先から引掛け支柱３０の雌ねじ３４を螺合することにより、引掛け支柱３０を配設する。そののち、引掛け支柱３０の棒状部材３１を必要な高さまで伸長させて使用する。
【００２０】
また、持ち運び時には、例えば、引掛け支柱３０の棒状部材３１を縮めて三脚部２０から取り外し、筒立て支柱１０を三脚部２０から取り外す。次いで、例えば、三脚部２０の第１脚２２Ａ、第２脚２２Ｂ、及び、第３脚２２Ｃを連結箇所において回動させて重ね合わせる。又は、例えば、第１脚２２Ａ、第２脚２２Ｂ、及び、第３脚２２Ｃを連結した筒立て支柱用雄ねじ２１を取り、第１脚２２Ａ、第２脚２２Ｂ、及び、第３脚２２Ｃを重ね合わせる。これにより、大きさを小さくして持ち運ぶことが可能となる。
【００２１】
このように本実施の形態によれば、筒立て支柱１０を着脱可能とし、かつ、第１脚２２Ａ、第２脚２２Ｂ、及び、第３脚２２Ｃを重ねて回動可能に連結するか、又は、重ねて連結可能とするようにしたので、例えば、使用時には、第１脚２２Ａ、第２脚２２Ｂ、及び、第３脚２２Ｃを回動させて広げるか、又は、広げて連結し、筒立て支柱１０を取り付けることにより、吹き筒２を立てることができる。また、持ち運び時には、筒立て支柱１０を取り外し、第１脚２２Ａ、第２脚２２Ｂ、及び、第３脚２２Ｃを回動させて重ね合わせるか、又は、分離して重ね合わせることにより、大きさを小さくすることができる。よって、持ち運びの利便性を高めることができる。
【００２２】
また、第１脚２２Ａの長さを第２脚２２Ｂ及び第３脚２２Ｃの長さよりも短くし、第２脚２２Ｂの長さを第３脚２２Ｃの長さよりも短くして、第２脚２２Ｂ及び第３脚２２Ｃの他端側の下側面に下側に向かって突出した高さ調節凸部２５を設けるようにすれば、第１脚２２Ａ、第２脚２２Ｂ、及び、第３脚２２Ｃを広げて筒立て支柱１０を立てた時に、筒立て支柱１０を垂直に安定して支持することができる。また、第１脚２２Ａ、第２脚２２Ｂ、及び、第３脚２２Ｃを重ね合わせることにより、大きさを小さくすることもできる。
【００２３】
更に、第１脚２２Ａ、第２脚２２Ｂ、及び、第３脚２２Ｃに、位置決めマーク２６を設けるようにすれば、それらを広げる際、又は、それらを連結する際に、容易に位置決めすることができ、吹き筒２を安定して支持することができる。
【００２４】
加えて、三脚部２０に対して着脱可能で、高さ方向に伸縮可能な引掛け支柱３０を備えるようにすれば、吹き筒２を拭く布などを引掛けて用いることができると共に、持ち運ぶ際には、三脚部２０から取り外し、縮めることにより、大きさを小さくすることができる。
【００２５】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００２６】
１…吹き矢用吹き筒立、２…吹き筒、１０…筒立て支柱、１１…雌ねじ、２０…三脚部、２１…筒立て支柱用雄ねじ、２２Ａ…第１脚、２２Ｂ…第２脚、２２Ｃ…第３脚、２３…筒立て支柱用貫通孔、２４…筒立て支柱クッション部材、２５…高さ調節凸部、２６…位置決めマーク、２７…引掛け支柱用雄ねじ、２８…引掛け支柱用貫通孔、２９…引掛け支柱パッキン、３０…引掛け支柱、３１…棒状部材、３２…継パイプ、３３…引掛け部材、３４…雌ねじ
【図１】
0003195669.tif 000003
【図２】
0003195669.tif 000004